(57)【要約】【課題】  撮影者が意図しない機能が作動してしまうことのないレンズシステムを提供すること。【解決手段】  レンズシステムは、可動光学部材を備えカメラに接続されるレンズ装置と、レンズ装置と接続され、可動光学部材を駆動する駆動手段と、カメラへリターン信号を出力するリターン機能、録画開始指令する録画指令機能、可動光学部材に駆動指令する駆動指令機能、可動光学部材の電動駆動／手動操作を切替る駆動切替機能の内の１以上の機能を有する制御手段と、制御手段の機能が初期設定として割当てられる操作手段と、操作手段に割り当てる機能の設定を変更する機能設定手段と、第１と第２モードとを切替えるモード切替手段と、を有し、機能設定手段は、第１のモードでは操作手段に対して制御手段の機能の割当ての設定変更が可能であり、第２のモードでは操作手段に対して制御手段の機能の割当ての設定変更ができない。【選択図】  図５
2015045780.tif 000002
【特許請求の範囲】
【請求項１】
可動光学部材を備え、カメラ装置に接続されるレンズ装置と、
該レンズ装置と接続され、該可動光学部材を駆動する駆動手段と、
前記カメラ装置へリターン信号を出力するリターン機能、前記カメラ装置へ録画開始を指令する録画指令機能、前記可動光学部材の駆動を指令する駆動指令機能、前記可動光学部材の電動駆動又は手動操作を切り替える駆動切替機能の少なくともいずれかの機能を有する制御手段と、
該制御手段の前記機能が初期設定として割当てられるユーザにより操作される操作手段と、
該操作手段に割り当てる機能の設定を変更する機能設定手段と、
第１モードと第２モードとを切替えるモード切替手段と、
を含み、
前記機能設定手段は、前記第１のモードでは、前記操作手段に対して前記制御手段の機能の割当ての設定変更が可能であり、前記第２のモードでは、前記操作手段に対して前記制御手段の機能の割当ての設定変更ができない、
ことを特徴とするレンズシステム。
【請求項２】
前記制御手段が有する任意の機能に割当てられることを前提とした、ユーザにより操作される機能操作手段を有し、
前記機能設定手段は、前記第１のモードでは、前記操作手段及び前記機能操作手段に対して前記制御手段の機能の割当ての設定変更が可能であり、前記第２のモードでは、前記機能操作手段に対してのみ前記制御手段の機能の割当ての変更が可能である、
ことを特徴とする請求項１に記載のレンズシステム。
【請求項３】
該操作手段それぞれに割り当てられた機能を記憶する記憶手段を有することを特徴とする請求項１又は２に記載のレンズシステム。
【請求項４】
前記第２モードである場合、前記記憶手段は前記機能操作手段に対し割当てられた機能を記憶しないことを特徴とする請求項３に記載のレンズシステム。
【請求項５】
前記可動光学部材の駆動に関係する設定値を変更する設定値変更手段を有し、
前記記憶手段は、前記可動光学部材の駆動に関係する設定値を記憶し、
前記第２モードである場合、前記記憶手段は、前記設定値変更手段で変更された前記可動光学部材の駆動に関係する設定値を記憶しない、
ことを特徴とする請求項３に記載のレンズシステム。
【請求項６】
前記設定値変更手段が変更する設定値は、前記可動光学部材の駆動範囲、及び、前記可動光学部材の駆動特性の設定値の少なくとも一方を含む、ことを特徴とする請求項５に記載のレンズシステム。
【請求項７】
前記レンズシステムと接続され、前記可動光学部材の駆動を指令操作する操作装置を有し、
前記操作装置は、前記操作手段、前記制御手段、前記機能設定手段、前記モード切替手段を有する、
ことを特徴とする請求項１乃至６のいずれか１項に記載のレンズシステム。
【請求項８】
請求項１乃至７のいずれか１項に記載のレンズシステムと、該レンズシステムの前記レンズ装置に接続されたカメラ装置と、を備える撮影装置。
【発明の詳細な説明】
【技術分野】
【０００１】
本発明は、レンズシステムに関し、特に可動光学部材を駆動操作手段の操作部への機能の割付け設定が変更可能な駆動操作手段を備えるレンズシステム、及びそれを備える撮影装置に関するものである。
【背景技術】
【０００２】
従来、テレビジョン撮影に用いられる撮影装置は、ＴＶカメラ本体とＴＶレンズで構成され、ＴＶレンズをＴＶカメラに装着して使用する。このうちＴＶレンズはレンズ本体部とドライブユニットに大別され、レンズ本体部には撮影光学系とそれをマニュアル操作するためのマニュアルリングがある。またドライブユニットには、これらマニュアルリングを電動駆動するための、モータや制御基板、ＣＰＵが内部に格納され、外装面には電動制御を指示する各種スイッチや、操作部材が設けられている。ＴＶレンズは、以前はマニュアルによるズームやアイリス操作が撮影の大半を占めていたが、最近では電動サーボによる撮影も頻繁に行われるようになり、ドライブユニットにも様々な機能が付加されている（特許文献１参照）。例えば、任意のズーム位置を一度記憶すると、スイッチを押すことで記憶したズーム位置までモータ駆動するプリセット機能。また、このプリセット機能をドライブユニット上の複数あるスイッチの中で、ユーザが自分の好きな位置のスイッチに自由に割当てる設定ができる機能などがある。こうした様々な機能を割当て設定する手段は、レンズの撮影に関わる機能を設定する機能設定手段と、それに用いる表示パネルと、ＴＶレンズの撮影に関わる各機能の設定情報を複数記憶できる記憶手段を設けることにより、状況を容易かつ瞬時に把握できる。さらに操作性に優れた機能の設定手段を併せ持つ、使い勝手の良い光学装置を提供されている。このように使用者の嗜好に応じて設定変更できるこれらの機能は、カメラマンの撮影の幅を広げ、様々な撮影状況に応じて最適なカメラワークを実現することを可能にしている。
【先行技術文献】
【特許文献】
【０００３】
【特許文献１】特開２００１−１２４９７９号公報
【発明の概要】
【発明が解決しようとする課題】
【０００４】
しかしながら、テレビジョン撮影に用いられるＴＶカメラ本体とＴＶレンズで構成される光学装置は、放送局やプロダクションなどで所有しているものが多く、個人が所有するものではないため、光学装置を使用するカメラマンが定まっていないケースが多い。このため、カメラマンごとに様々な設定がなされ、設定を行ったカメラマンとは別のカメラマンが光学装置を使用する際に、例えば、ドライブユニット上のあるスイッチを操作した場合に、自分が意図した機能とは異なる機能が作動するという問題が発生する。テレビジョン撮影においては、撮影機会を逃さないという観点からも、咄嗟に撮影を開始するケースも多く、この場合上記のような問題が発生すると撮影機会を逃してしまう、或いは、カメラマンの意図しない映像が撮影されてしまう可能性も大きい。
【０００５】
そこで、本発明の目的は、可動光学部材を駆動操作手段の操作部への機能の割付け設定が変更可能な構成を備えながら、撮影者が意図しない機能が作動してしまうことのないレンズシステムを提供することである。
【課題を解決するための手段】
【０００６】
上記目的を達成するために、本発明のレンズシステムは、可動光学部材を備え、カメラ装置に接続されるレンズ装置と、レンズ装置と接続され、可動光学部材を駆動する駆動手段と、カメラ装置へリターン信号を出力するリターン機能、カメラ装置へ録画開始を指令する録画指令機能、可動光学部材の駆動を指令する駆動指令機能、可動光学部材の電動駆動又は手動操作を切り替える駆動切替機能の少なくともいずれかの機能を有する制御手段と、制御手段の機能が初期設定として割当てられるユーザにより操作される操作手段と、操作手段に割り当てる機能の設定を変更する機能設定手段と、第１モードと第２モードとを切替えるモード切替手段と、を含み、機能設定手段は、第１のモードでは、操作手段に対して制御手段の機能の割当ての設定変更が可能であり、第２のモードでは、操作手段に対して制御手段の機能の割当ての設定変更ができない、ことを特徴とする。
【発明の効果】
【０００７】
本発明によれば、可動光学部材を駆動操作手段の操作部への機能の割付け設定が変更可能な構成を備えながら、撮影者が意図しない機能が作動してしまうことのないレンズシステムを提供することができる。
【図面の簡単な説明】
【０００８】
【図１】本発明の実施例１におけるレンズシステムの上面図。
【図２】実施例１におけるレンズシステムの背面図。
【図３】実施例１における機能設定スイッチの構成図。
【図４】実施例１におけるレンズシステムの機能構成図。
【図５】実施例１におけるドライブユニットのメニュー画面の表示例。
【図６】実施例２におけるズームデマンドの上面図。
【図７】実施例２におけるズームデマンドの側面図。
【図８】実施例２におけるレンズシステムの機能構成図。
【図９】実施例２におけるドライブユニットのメニュー画面の表示例。
【発明を実施するための形態】
【０００９】
以下に、本発明の好ましい実施の形態を、添付の図面に基づいて詳細に説明する。
【実施例１】
【００１０】
以下、図１〜５を参照して、本発明の第１の実施例によるレンズシステムについて説明する。
【００１１】
図１及び図２はレンズ装置の上面図および背面図である。
【００１２】
１０１はレンズ装置で、内部には可動光学部材であるフォーカスレンズ、ズームレンズ、アイリス等を含む撮影光学系を含み、外側には、フォーカスレンズ、ズームレンズ、アイリスを手動で操作するためのマニュアルリングを有する。
【００１３】
１０２はレンズ本体１０１に着脱自在に取付けられるドライブユニット（駆動制御装置）で、内部にはレンズ本体１０１のマニュアルリングを電動駆動するためのモータや、制御基板、ＣＰＵ等が格納されている。１０３はズームを電動駆動する時に操作するシーソースイッチ（操作手段）で、図中Ｔの方向あるいはＷの方向にスイッチを押し込むと、押し込み量に応じたスピードで、ズームレンズを望遠方向、あるいは広角方向へ移動させる駆動指令機能が割当てられている。１０４はスイッチ操作に応じてカメラへリターン信号を送り返すリターン機能が割当てられたリターンスイッチ（操作手段）である。一般的に、リターンスイッチ１０４は、複数のカメラで映像を撮影するときに、他のカメラで撮影され実際に放送に使用されている映像を手元で確認するためのスイッチである。１０５は録画開始を指令するＶＴＲスイッチ（操作手段）であり録画指令機能が割当てられている。また、１０６はアイリスをマニュアルリングによる手動操作とするか、モータによる電動駆動とするかを切り替える駆動切替機能が割当てられたアイリス駆動切替スイッチ（操作手段）である。これらシーソースイッチ１０３、リターンスイッチ１０４、ＶＴＲスイッチ１０５、アイリス駆動切替スイッチ１０６は、テレビ撮影に関わる最も基本的なスイッチ（操作手段）である。また、ＴＶレンズの操作性を継承する観点から、ＴＶレンズの長い歴史の中でも昔から変わらずに図示した位置に配置される。
【００１４】
１０７は機能スイッチ（機能操作手段）Ａで、レンズを用いた撮影に関わる様々な機能の中から任意の機能をこの機能スイッチＡ１０７に割り当てて使用されることが前提のスイッチである。例えば、プリセット機能をこのスイッチに割り当てると、カメラマンは後述するメモリースイッチ１０９と同時に機能スイッチＡ１０７を押すことで現在のズーム位置が記憶できる。その後ズームがいかなる位置にある場合でも、この機能スイッチＡ１０７を押すことで、ズームを記憶した位置に戻すことができる。また、１０８は機能スイッチ（機能操作手段）Ｂで、レンズの撮影に関わる様々な機能の中から任意の機能をこの機能スイッチＢ１０８に割り当てて使用されることが前提のスイッチである。例えば、スイッチを押すことでズームが往復動作する機能をこのスイッチに割り当てる。すると、カメラマンは機能スイッチＢを押し続けるとレンズは望遠端までズーミングし、深度の浅い望遠端でフォーカス合わせをした後で機能スイッチＢから手を離すと元のズーム位置に戻すことができ、ピントの合わせのアシスト機能として利用することができる。これらの機能スイッチは、カメラマンがレンズをマニュアル操作する際に、スイッチを誤操作して突然ズームが動き出すことのないように、機能スイッチＡあるいは機能スイッチＢを押しても、機能することにないように設定することも可能である。１０９は現在のズーム位置、速度、方向などを記憶する際に使用するメモリースイッチである。
【００１５】
１１０はドライブユニット１０２の背面に設けた液晶による表示パネル、１１１は表示パネルの表示／非表示を切換える表示スイッチで、必要な時だけ表示パネル１１０を点灯する構成にすることで消費電力を低減している。１１２はレンズの撮影に関わる様々な機能を設定するための機能設定スイッチである。
【００１６】
図３は機能設定スイッチ１１２を拡大して表したものである。図３に示した機能設定スイッチ１１２は、図中２０２から２０５の４つの矢印キーとひとつの選択キー２０１で構成される。そして、表示パネル１１０に表示される画面メニューに沿って、２０２から２０５の４つの矢印キーでカーソルを移動して、複数ある機能の中から一つを選択し、選択キー２０１で確定する。
【００１７】
次にレンズ装置の内部構成を図４に示す。
【００１８】
図４において、３０１は焦点調整を行うフォーカスレンズ光学系、３０２はフォーカスレンズ光学系３０１を駆動するフォーカスモータ、３０３はフォーカスレンズ光学系３０１の位置に応じた位置信号を出力するフォーカス位置検出部、３０４はフォーカスレンズ光学系３０１を制御するフォーカス制御部である。３０５は変倍調節を行うズームレンズ光学系、３０６はズームレンズ光学系３０５を駆動するズームモータ、３０７はズームレンズ光学系３０５の位置に応じた位置信号を出力するズーム位置検出部、３０８はズームレンズ光学系３０５を制御するズーム制御部である。３０９は絞り調節を行うアイリス羽根、３１０はアイリス羽根３０９を駆動するアイリスモータ、３１１はアイリス羽根３０９の位置に応じた位置信号を出力するアイリス位置検出部、３１２はアイリス羽根３０９を制御するアイリス制御部である。３１３は焦点距離を１．５倍や２．０倍などに変更するエクステンダー光学系、３１４はエクステンダー光学系３１３を駆動するエクステンダーモータ、３１５はエクステンダー光学系３１３の位置に応じた位置信号を出力するエクステンダー位置検出部、３１６はエクステンダー光学系３１３を制御するエクステンダー制御部である。３１７は本実施例の制御部分を司るＣＰＵ（制御手段）、１１０はドライブユニット１０２の背面に設けた液晶による表示パネル、１１２はレンズの撮影に関わる様々な機能を設定するための機能設定スイッチである。３１８はレンズの撮影に関わる様々な機能及び特性を記憶させる記憶部、３１９はドライブユニット１０２に取付けられた各種スイッチ通信部、３２０はレンズ外部とのデータ通信部、３２１は各種デマンドとの通信部、３２２はカメラ装置との通信部である。
【００１９】
本実施例では、表示パネル１１０と機能設定スイッチ１１２で構成される機能設定手段は、上述したスイッチ等（操作手段）に様々な機能の割付けの設定をする手段であり、機能の割付け可能な範囲が異なる２つのモードで、機能の割付けが設定される。２つのモードは、使用するユーザが固定されている場合などに効果的な固定ユーザモードと、複数のカメラマンで使用する場合に効果的な任意ユーザモードである。各モードの詳細は後述する。
【００２０】
図５は、表示パネル１１０に表示される、レンズ機能を設定するためのメニュー画面の例である。（ａ）は固定ユーザモード時のメニュー画面、（ｂ）は任意ユーザモード時のメニュー画面である。
【００２１】
メニュー画面における設定項目の変更操作について説明する。
【００２２】
矢印キー２０２〜２０５によりメニュー画面内の４０１〜４０９の項目のいずれかにカーソルを合わせ、選択キー２０１を押すことで該カーソル項目の設定が変更可能な状態となる。カーソル項目が変更可能状態の場合は、カーソル位置は固定され、矢印キーの２０４、２０５を押すことで設定値を変更することができる。設定値が決定したら、選択キー２０１を押すことで、変更した設定値を記憶部３１８に記憶し、再度カーソル移動が可能となる。
【００２３】
以下にメニュー画面の設定項目について説明する。
【００２４】
４０１は、モードの切替えメニューであり、矢印キーの２０４、２０５を押して、設定値としてのモードを変更するたびに、固定ユーザモード（第１のモード）と任意ユーザモード（第２のモード）が切り替わる。すなわち、表示パネル１１０と機能設定スイッチ１１２とは、固定ユーザモードと任意ユーザモードとを切替えるモード切替手段を構成している。固定ユーザモードが選択されると、メニュー画面は図５（ａ）となり、任意ユーザモードが選択されると、メニュー画面は図５（ｂ）となる。
【００２５】
４０２は、ＶＴＲスイッチ１０５の機能割り当ての設定項目である。ＶＴＲスイッチ１０５は、初期設定では、録画の開始を指示する機能であるが、４０２の設定項目を変更することにより、他の機能を割り当てることができる。例えば、リターン機能やプリセット機能、シャトル機能などに設定変更可能である。
【００２６】
４０３は、リターンスイッチ１０４の機能割り当ての設定項目である。リターンスイッチ１０４は、初期設定では、カメラへ信号を送り返す機能であるが、４０３の設定項目を変更することにより、他の機能を割り当てることができる。例えば、ＶＴＲ機能やプリセット機能、シャトル機能などに設定変更可能である。
【００２７】
４０４は、アイリス駆動切替スイッチ１０６の切替状態の設定項目である。アイリス駆動切替スイッチ１０６は、初期設定では、アイリスを手動操作か電動操作かを切り替える機能であるが、４０４の設定項目を変更することにより、切替状態を変更することができる。例えば、アイリス駆動切替スイッチ１０６の状態に関わらずアイリスを手動操作に設定したり、アイリス駆動切替スイッチ１０６の状態に関わらずアイリスを電動操作に設定する、などに設定変更可能である。
【００２８】
４０５は、シーソースイッチ１０３の駆動対象の設定項目である。シーソースイッチ１０３は、初期設定では、ズームの電動駆動を指令するためのスイッチであるが、４０５の設定項目を変更することにより、駆動対象を変更することができる。例えば、シーソースイッチ１０３をアイリスの電動駆動を指令するためのスイッチとするなどに設定変更可能である。
【００２９】
４０６は、機能スイッチＡ１０７の機能割り当ての設定項目である。４０６の設定項目を変更することにより、任意の機能を割り当てることができる。例えば、ＶＴＲ機能やリターン機能、プリセット機能、シャトル機能、または機能なしなどを設定することが可能である。
【００３０】
４０７は、機能スイッチＢ１０８の機能割り当ての設定項目である。４０７の設定項目を変更することにより、任意の機能を割り当てることができる。例えば、ＶＴＲ機能やリターン機能、プリセット機能、シャトル機能、または機能なしなどを設定することが可能である。
【００３１】
４０８は、アイリストルクの設定項目である。４０８の設定項目を変更することで、アイリスのマニュアルリングを手動操作する際のリングの重さ（駆動特性の設定値）を変更することができる。リングの重さを変更することにより、ユーザの好みの操作感でアイリスリングを操作することができる。
【００３２】
４０９は、ズームトラッキング機能の有効／無効を切り替える設定項目である。ズームトラッキング機能とは、メモリースイッチ１０９により記憶された任意のズーム位置により、ズームの駆動領域を限定する機能である。ズームトラッキング機能を使用することにより所望の画角範囲内でレンズ装置を使用することができ、撮影状況に応じて必要以上にズームしてしまうといった操作を防ぐことができる。４０９の設定を変更することで、ズームトラッキング機能を有効とするか無効とするかを変更することができる。
【００３３】
上記の４０２〜４０７の項目がスイッチ（操作手段）に割り当てる「機能」の変更／設定ということに対応するのに対し、アイリストルクの設定項目４０８と、ズームトラッキング機能の有効／無効を切り替える設定項目４０９については、割当てられている機能に対する「設定値」の変更ということになる。前者の場合は、前述のように、表示パネル１１０と機能設定スイッチ１１２は、機能設定手段を構成することになるが、後者の場合は、設定値変更手段を構成することになる。
【００３４】
固定ユーザモードでは、メニュー画面の設定項目は４０２〜４０９となり、使用するユーザの好みに合わせてレンズ機能をカスタマイズできる。例えば、レンズ装置の配置によるスイッチの押し易さやレンズ機能の使用頻度に合わせて、ＶＴＲスイッチ１０５にプリセット機能を割り付けたり、シーソースイッチ１０３の駆動対象をアイリスとしたりするなど変更できる。よって、使用するユーザに合わせて設定変更することにより、ユーザに合った使い勝手を実現することができる。
【００３５】
しかしながら、複数のユーザによりレンズ装置が共同で使用される場合は、レンズ装置に備えられたスイッチにより作動する機能が初期設定の機能から変更されていると、自分が意図しない機能が作動してしまい、誤操作につながってしまう。
【００３６】
一方、任意ユーザモードでは、メニュー画面の設定項目は４０６〜４０９となる。任意ユーザモードにおいては、設定項目４０２〜４０５は、レンズ装置に備えられたスイッチにより作動する初期設定の機能を別の機能に変更可能な設定項目から除外されているため、メニュー画面にはその項目は表示されない。ゆえに、特に撮影画像に影響を与える操作に関する機能、或いは、放送される画像に影響を与える可能性のある機能についての、初期設定のスイッチ機能が変更されることがないため、自分の意図しない機能が作動するといった誤操作を防ぐことができる。また、その他のレンズ機能の設定変更は可能であるため、好適なカメラワークの実現も維持することができる。
【００３７】
よって、複数のユーザにより共同で使用する運用形態をとる場合は、任意ユーザモードとすることにより、撮影画像に影響を与えるような、又は、放送される画像に影響を与えるような誤操作を防ぐこと可能となる。
【００３８】
また、本実施例においては、固定ユーザモードと任意ユーザモードの切り替えをメニュー画面から機能設定スイッチの操作により行う例について述べたが、これに限られるわけではない。例えば、変更する際に、パスワードを入力することにより変更可能にする構成とするようにしたり、その他のスイッチと組合せて特別な操作をすることによってのみ変更可能にする構成とすることにより、意図せずに固定ユーザモードで使用されることがないようにしても良い。
【００３９】
また、本実施例においては、設定項目を変更した場合、記憶部３１８に設定値を記憶する例について述べたが、本発明はこれに限られるわけではない。任意ユーザモードの場合は、記憶部３１８には、設定値を記憶しない構成としても良い。すなわち、任意ユーザモードの場合は、設定項目の機能の変更は可能だが記憶はされないため、一度電源を落とすと設定値は初期設定値に戻り、ユーザは電源立ち上げ時に常に同じ設定状態（初期設定の状態）で使用することができる。さらには、任意ユーザモードの場合は、レンズの駆動に関係する設定項目のみ、設定値を記憶しないとしても良い。すなわち、任意ユーザモードの場合は、例えば、トラッキング機能の有効／無効の切替設定の設定値を記憶しないとすれば、電源立ち上げ時にズームの駆動範囲が制限されているなどの撮影操作に影響を及ぼす状態を防ぐことができるため、より望ましい。
【００４０】
本実施例においては、機能設定スイッチに十字キーを用いた例について述べたが、ジョグシャトルスイッチ等、表示パネルの表示フローに沿って機能が設定できるものであれば如何なる設定スイッチでも構うものではない。
【００４１】
さらに、本実施例においては、表示パネルと機能設定スイッチをドライブユニットに設けたが、レンズシステムにおけるどの部位に配置しても構うものではない。
【実施例２】
【００４２】
以下、図６〜９を参照して、本発明の第２の実施例によるレンズシステムについて説明する。
【００４３】
第１の実施例では、レンズ装置に接続されるドライブユニットが機能設定手段を備える例について説明したが、本実施例では、ドライブユニットに接続されて指令操作する操作装置であるデマンドが機能設定手段を備える例について説明する。
【００４４】
図６及び図７はズームデマンドの上面図および側面図である。図中６０１はズームデマンド本体で、レンズ装置に接続される操作装置である。６０２はズームをサーボ駆動する時に操作するシーソースイッチ（操作手段）で、図中Ｔの方向あるいはＷの方向にスイッチを押し込むと、押し込み量に応じたスピードで、ズームレンズが望遠方向、あるいは広角方向へ移動する。６０３はスイッチ操作に応じてカメラへ信号を送り返すリターンスイッチ（操作手段）で、６０４は録画のトリガーとなるＶＴＲスイッチ（操作手段）である。
【００４５】
６０５は機能スイッチ（機能操作手段）Ａで、レンズを用いた撮影に関わる様々な機能の中から任意の機能この機能スイッチＡ６０５に割り当てて使用されることが前提のスイッチである。
【００４６】
６０６は現在のズーム位置、速度、方向などを記憶する際に使用するメモリースイッチである。
【００４７】
６０７はズームデマンド６０１の上面に設けた液晶による表示パネル、６０８は表示パネルの表示／非表示を切換える表示スイッチで、必要な時だけ表示パネル６０７を点灯する構成にすることで消費電力を低減している。６０９はレンズの撮影に関わる様々な機能を設定するための機能設定スイッチである。
機能設定スイッチ６０９の詳細は、実施例１の図３と同様のため説明を省略する。
【００４８】
次にレンズ装置とズームデマンドの内部構成を図８に示す。
実施例１の図４と同一符号で示した要素は、同一のため説明を省略する。
【００４９】
図８において、８１７はズームデマンド６０１の制御部分を司るＣＰＵ（制御手段）、６０７はズームデマンド６０１の上面に設けた液晶による表示パネル、６０９はレンズの撮影に関わる様々な機能を設定するための機能設定スイッチである。８１８はレンズの撮影に関わる様々な機能及び特性を記憶させる記憶部、８１９はズームデマンド６０１に取付けられた各種スイッチ通信部、８２１はレンズ装置との通信部である。
【００５０】
記憶部８１８は、固定ユーザモードの場合は、機能及び特性の設定を記憶するが、任意ユーザモードの場合は、設定値を記憶しない。
【００５１】
ズームデマンド６０１は、通信部８２１と通信部３２１を介してレンズ装置と接続される。
【００５２】
本実施例では、ズームデマンドに機能設定手段を有する際の固定ユーザモードと任意ユーザモードの例について述べる。
【００５３】
図９は、表示パネル６０７に表示させるレンズ機能を設定するためのメニュー画面の例である。（ａ）は固定ユーザモード時のメニュー画面、（ｂ）は任意ユーザモード時のメニュー画面である。
設定項目の変更操作については実施例１と同様である。
【００５４】
９０１は、モードの切替えメニューであり、機能設定スイッチ６０９を操作して設定値としてのモードを変更するたびに、固定ユーザモードと任意ユーザモードが切り替わる。すなわち、表示パネル６０７と機能設定スイッチ６０９は、固定ユーザモードと任意ユーザモードとを切替えるモード切替手段を構成している。固定ユーザモードが選択されると、メニュー画面は図９（ａ）となり、任意ユーザモードが選択されると、メニュー画面は図９（ｂ）となる。
【００５５】
９０２は、ＶＴＲスイッチ６０４の機能割り当ての設定項目である。ＶＴＲスイッチ６０４は、初期設定では、録画の開始を指示する機能であるが、９０２の設定項目を変更することにより、他の機能を割り当てることができる。例えば、リターン機能やプリセット機能、シャトル機能などに設定変更可能である。
【００５６】
９０３は、リターンスイッチ６０３の機能割り当ての設定項目である。リターンスイッチ６０３は、初期設定では、カメラへ信号を送り返す機能であるが、９０３の設定項目を変更することにより、他の機能を割り当てることができる。例えば、ＶＴＲ機能やプリセット機能、シャトル機能などに設定変更可能である。
【００５７】
９０４は、機能スイッチＡ６０５の機能割り当ての設定項目である。９０４の設定項目を変更することにより、任意の機能を割り当てることができる。例えば、ＶＴＲ機能やリターン機能、プリセット機能、シャトル機能、または機能なしなどを設定することが可能である。
【００５８】
９０５は、ズームトラッキング機能の有効／無効を切り替える設定項目である。９０５の設定項目を変更することで、ズームトラッキング機能を有効とするか無効とするかを変更することができる。
【００５９】
上記の９０２〜９０４の項目がスイッチ（操作手段）に割り当てる「機能」の変更／設定ということに対応するのに対し、ズームトラッキング機能の有効／無効を切り替える設定項目９０５については、割当てられている機能に対する「設定値」の変更ということになる。前者の場合は、前述のように、表示パネル６０７と機能設定スイッチ６０９は、機能設定手段を構成することになるが、後者の場合は、設定値変更手段を構成することになる。
【００６０】
固定ユーザモードでは、メニュー画面の設定項目は９０２〜９０５となり、使用するユーザの好みのスイッチ位置に好みのレンズ機能を設定できる。よって、使用するユーザにとって、使い勝手のよい操作性を実現することができる。
【００６１】
しかしながら、複数のユーザによりズームデマンドが共同で使用される場合は、ズームデマンドに備えられたスイッチにより作動する機能が初期設定の機能から変更されていると、自分が意図しない機能が作動してしまい、誤操作につながってしまう。
【００６２】
一方、任意ユーザモードでは、メニュー画面の設定項目は９０４〜９０５と限定される。任意ユーザモードにおいては、設定項目９０２、９０３は、ズームデマンドに備えられるスイッチにより作動する初期設定の機能を別の機能に変更可能な設定項目から除外されているため、メニュー画面にはその項目は表示されない。ゆえに、特に撮影画像に影響を与える操作に関する機能、或いは、放送される画像に影響を与える可能性のある機能についての、初期設定のスイッチ機能が変更されることがないため、自分の意図しない機能が作動するといった誤操作を防ぐことができる。
【００６３】
よって、複数のユーザにより共同で使用する運用形態をとる場合は、任意ユーザモードとすることにより、撮影画像に影響を与えるような、又は、放送される画像に影響を与えるような誤操作を防ぐことが可能となる。
【００６４】
また、本実施例においては、任意ユーザモードの場合は、機能の設定を記憶しない構成としたが、これに限られるわけではない。任意ユーザモードの場合は、一部の設定項目のみ、設定値を記憶しないとしても良い。
【００６５】
また、本実施例においては、ズームの電動駆動を指示するズームデマンドに機能設定手段が構成される例について述べたが、これに限られるわけではない。フォーカスの電動駆動を指示するフォーカスデマンドであっても良い。
【００６６】
また、本実施例においては、デマンドに備えられた機能設定手段により、デマンドが有するスイッチに対して設定変更を行う構成について説明したが、これに限られるわけではない。例えば、レンズ装置に備えられた機能設定手段により、デマンドが有するスイッチの設定変更を行う構成にするなどしても良い。
【００６７】
以上、本発明の好ましい実施形態について説明したが、本発明はこれらの実施形態に限定されず、その要旨の範囲内で種々の変形及び変更が可能である。
【符号の説明】
【００６８】
１０１  レンズ装置
１０２  駆動制御装置
１０３、６０２  シーソースイッチ（操作手段）
１０４、６０３  リターンスイッチ（操作手段）
１０５、６０４  ＶＴＲスイッチ（操作手段）
１０６  アイリス駆動切替スイッチ（操作手段）
１１０、６０７  表示パネル（機能設定手段）
１１２、６０９  機能設定スイッチ（機能設定手段）
【図１】
2015045780.tif 000003
【図２】
2015045780.tif 000004
【図３】
2015045780.tif 000005
【図４】
2015045780.tif 000006
【図５】
2015045780.tif 000007
【図６】
2015045780.tif 000008
【図７】
2015045780.tif 000009
【図８】
2015045780.tif 000010
【図９】
2015045780.tif 000011